(57)【要約】【課題】レンズ鏡筒を小型化できるとともに、バリア羽根の光軸方向の移動を阻止して、バリア羽根が光入射開口から被写体側へ飛び出したり、レンズ鏡筒内へ落ち込んだりするのを防止することができるバリア装置を提供する。【解決手段】このバリア装置は、撮影レンズの光入射開口を開閉自在に覆う複数枚のバリア羽根５，６と、バリア羽根５，６を閉位置方向に付勢する付勢部材７，８と、撮影レンズの光軸周りで正逆方向に回転駆動されて、バリア羽根５，６を開閉方向に移動させる駆動部材２，４とを備える。バリア羽根５，６には規制部５ｃ，６ｃが設けられ、駆動部材４には、バリア羽根５，６が閉じ方向に移動するときに、規制部５ｃ，６ｃに当接してバリア羽根５，６の閉じ方向の移動範囲を規制する当接部４ｇ，４ｈが設けられている。【選択図】図１
2008070630.tif 000002
【特許請求の範囲】
【請求項１】
撮影レンズの光入射開口を塞ぐ閉位置と該光入射開口を開放する開位置との間で移動可能な複数枚のバリア羽根と、該バリア羽根を閉位置方向に付勢する付勢部材と、前記撮影レンズの光軸周りで正逆方向に回転駆動されて、前記バリア羽根を開閉方向に移動させる駆動部材と、を備えるバリア装置であって、
前記バリア羽根に設けられた規制部と、
該バリア羽根が閉じ方向に移動するときに、前記規制部に当接して前記バリア羽根の閉じ方向の移動範囲を規制する当接部と、を備える、
ことを特徴とするバリア装置。
【請求項２】
前記規制部は、光軸方向に突出して設けられている、
ことを特徴とする請求項１に記載のバリア装置。
【請求項３】
前記当接部は、前記バリア羽根の移動軌跡範囲内に設けられている、
ことを特徴とする請求項１又は２に記載のバリア装置。
【請求項４】
前記当接部は、前記駆動部材に設けられている、
ことを特徴とする請求項１〜３のいずれか一項に記載のバリア装置。
【請求項５】
前記バリア羽根に係合部を設け、前記駆動部材が前記バリア羽根を閉じ方向に移動させるように回転駆動されるときに、前記係合部に係合して前記バリア羽根を閉じ方向に押圧する押圧部を前記駆動部材に設けた、
ことを特徴とする請求項１〜４のいずれか一項に記載のバリア装置。
【請求項６】
前記規制部および前記係合部が、同一部材である、
ことを特徴とする請求項１〜５のいずれか一項に記載のバリア装置。
【請求項７】
撮影レンズの光入射開口を塞ぐ閉位置と該光入射開口を開放する開位置との間で移動可能な複数枚のバリア羽根と、該バリア羽根を閉位置方向に付勢する付勢部材と、前記撮影レンズの光軸周りで正逆方向に回転駆動されて、前記バリア羽根を開閉方向に移動させる駆動部材と、を備えるバリア装置であって、
前記バリア羽根に係合部を設け、前記駆動部材が前記バリア羽根を閉じ方向に移動させるように回転駆動されるときに、前記係合部に係合して前記バリア羽根を閉じ方向に押圧する押圧部を前記駆動部材に設けた、
ことを特徴とするバリア装置。
【請求項８】
請求項１〜７のいずれか一項に記載のバリア装置を備える、
ことを特徴とする撮像装置。
【発明の詳細な説明】
【技術分野】
【０００１】
本発明は、撮影レンズを保護するためのバリア羽根を備えたバリア装置および撮像装置に関する。
【背景技術】
【０００２】
撮像装置では、レンズ面に埃や汚れが付着したり、レンズ面が傷付いたりすることを防止するために、図１５および図１６に示すように、レンズ鏡筒２０１の光入射開口２０８ａを開閉自在に覆うバリア羽根２０２，２０３を備えるバリア装置を設けたものがある。
【０００３】
ところで、カメラの小型化に伴いレンズ鏡筒２０１の小径化が求められているが、レンズ鏡筒２０１を小径化すると、開位置(図１６）でバリア羽根２０２，２０３の一部２０２ａ，２０３ａがレンズ鏡筒２０１の外径からはみ出す(図１６の斜線部）ことがある。
【０００４】
そこで、重畳および展開可能な２枚一組の小サイズのバリア羽根を２組用い、バリア羽根が展開状態で光入射開口を塞ぎ、バリア羽根が重畳状態で光入射開口外に収納されるものが開示されている（特許文献１）が、これだと光軸方向の長さが増してしまう。
【０００５】
このような事情から、図１７および図１８に示すように、バリア羽根が重畳しないように４枚のバリア羽根３０５，３０６，３０９，３１０を同一平面に展開して光軸方向の厚みを小さくしたものが提案されている（特許文献２）。
【特許文献１】実開平３−１８５１９号公報
【特許文献２】特開２００１−０８３５７５号公報
【発明の開示】
【発明が解決しようとする課題】
【０００６】
ところで、上記特許文献２では、バリア羽根３０５，３０６，３０９，３１０は、図１７の閉状態において、撮像側では不図示のバリア地板によって光軸方向に規制され、被写体側ではバリアカバー３１３によって光軸方向に規制されている。従って、バリア羽根３０５，３０６，３０９，３１０が光入射開口３１３ａから被写体側へ飛び出したり、あるいはレンズ面側に落ち込んだりする可能性は少ない。
【０００７】
しかし、図１７に示すバリア羽根３０５，３０６，３０９，３１０の閉状態で、ユーザが故意に例えばバリア羽根３０６を手で開方向に動かした場合や、衝撃が加わった場合は、図１８に示すように、バリア羽根３０７が閉位置からさらに閉方向に動いてしまう。
【０００８】
この場合、光入射開口３１３ａは概略長方形であり対角で最も長さが長くなるため、バリア羽根３０７とバリアカバー３１３との重なり量（図１８の斜線部）が殆どない状態になる。このようにバリア羽根３０７とバリアカバー３１３との重なり量が殆どない状態では、部品の僅かな変形によってバリア羽根３０７が光入射開口３１３ａから被写体側へ飛び出したり、あるいはレンズ鏡筒内へ落ち込んだりする場合がある。
【０００９】
この不具合を回避するためには、バリア羽根の厚みを厚くして変形が生じないようにしたり、バリア羽根とバリアカバーとが十分な重なり量を持つように、バリア羽根を大きな形状にしたりする必要がある。しかし、このようにすると、レンズ鏡筒全体が大型化し、撮像装置の小型化を妨げる原因になる。
【００１０】
また、バリア羽根には外部から塵や砂などの異物が入り込みやすく、入り込んだ異物がバリア羽根の移動を妨げて、駆動不能になる場合がある。
【００１１】
そこで、本発明の第１の目的は、レンズ鏡筒を小型化できると共に、バリア羽根の光軸方向の移動を阻止して、バリア羽根が光入射開口から被写体側へ飛び出したり、レンズ鏡筒内へ落ち込んだりするのを防止できるバリア装置及び撮像装置を提供することにある。
【００１２】
また、本発明の第２の目的は、異物が入り込んでバリア羽根が移動できなくなるのを回避することができるバリア装置及び撮像装置を提供することにある。
【課題を解決するための手段】
【００１３】
上記目的を達成するために、本発明のバリア装置は、撮影レンズの光入射開口を塞ぐ閉位置と該光入射開口を開放する開位置との間で移動可能な複数枚のバリア羽根と、該バリア羽根を閉位置方向に付勢する付勢部材と、前記撮影レンズの光軸周りで正逆方向に回転駆動されて、前記バリア羽根を開閉方向に移動させる駆動部材と、を備えるバリア装置であって、
前記バリア羽根に設けられた規制部と、該バリア羽根が閉じ方向に移動するときに、前記規制部に当接して前記バリア羽根の閉じ方向の移動範囲を規制する当接部と、を備えることを特徴とする。
【００１４】
また、本発明のバリア装置は、撮影レンズの光入射開口を塞ぐ閉位置と該光入射開口を開放する開位置との間で移動可能な複数枚のバリア羽根と、該バリア羽根を閉位置方向に付勢する付勢部材と、前記撮影レンズの光軸周りで正逆方向に回転駆動されて、前記バリア羽根を開閉方向に移動させる駆動部材と、を備えるバリア装置であって、
前記バリア羽根に係合部を設け、前記駆動部材が前記バリア羽根を閉じ方向に移動させるように回転駆動されるときに、前記係合部に係合して前記バリア羽根を閉じ方向に押圧する押圧部を前記駆動部材に設けた、ことを特徴とする。
【００１５】
さらに、本発明の撮像装置は、請求項１〜７のいずれか一項に記載のバリア装置を備える、ことを特徴とする。
【発明の効果】
【００１６】
本発明によれば、バリア羽根が閉じ方向に移動するときに、バリア羽根に設けた規制部に当接部が当接してバリア羽根の閉じ方向の移動範囲を規制するため、バリア羽根と他の部材との光軸方向の重なり量を十分に確保することができる。これにより、レンズ鏡筒を小型にしても、バリア羽根の光軸方向の移動を阻止することができ、バリア羽根が光入射開口から被写体側へ飛び出したり、レンズ鏡筒内へ落ち込んだりするのを防止することができる。
【００１７】
また、本発明によれば、駆動部材が前記バリア羽根を閉じ方向に移動させるように回転駆動されるときに、駆動部材に設けた押圧部がバリア羽根に設けた係合部に係合して該バリア羽根を閉じ方向に押圧する。これにより、バリア羽根に異物が入り込んだとしても、バリア羽根が移動できなくなるのを回避することができる。
【発明を実施するための最良の形態】
【００１８】
以下、本発明の実施の形態を図を参照して説明する。
【００１９】
図１は本発明の第１の実施形態であるバリア装置を説明するための分解斜視図、図２は図１に示すバリア装置の光軸方向に沿う断面図、図３は図２のＡ−Ａ線断面図、図４は図１に示すバリア装置のバリア羽根が全閉した状態を示す図である。
【００２０】
図５は図１に示すバリア装置のバリア羽根が全開した状態を示す図、図６は図１に示すバリア装置のバリア羽根が開閉途中にある状態を示す図、図７は図４の状態のバリア装置において、上側のバリア羽根を外力によって開方向に動かした状態を示す図である。
【００２１】
図８は図４のＢ部拡大図、図９は図１に示すバリア装置のバリア羽根が全開した状態におけるバリア羽根とバリア駆動リングとの関係を説明するための図、図１０は図９のＣ部拡大図である。
【００２２】
図１１〜図１３は本発明の第２の実施形態であるバリア装置を説明するための図、図１４は本発明の第１又は第２の実施形態であるバリア装置を搭載可能なコンパクトデジタルスチルカメラの一例を示す外観斜視図である。
【００２３】
まず、図１４を参照して、本発明の第１又は第２の実施形態であるバリア装置を搭載可能なコンパクトデジタルスチルカメラについて説明する。
【００２４】
このコンパクトデジタルスチルカメラ１００は、カメラ本体１０１に３段沈胴式レンズ鏡筒１１０が設けられている。レンズ鏡筒１１０に本発明の第１又は第２の実施形態であるバリア装置が搭載される。カメラ本体１０１には、メインスイッチ１０２、撮影スイッチ１０３、フラッシュ発光部１０４、ファインダ対物窓１０５、測光用受光窓１０６、およびズームレバー１０７が配置されている。
【００２５】
メインスイッチ１０２は、電源の投入および遮断を切り替えるスイッチである。撮影スイッチ１０３は、半押し操作によって測光、測距（ＡＦ）等の撮影準備動作を行わせ、全押し操作によって画像の撮影および記録を行わせるスイッチである。ズームレバー１０７は、回転操作することで、レンズ鏡筒１１０のズーム駆動を行わせる。なお、図示は省略するが、カメラ本体１０１内には、レンズ鏡筒１１０の撮影光学系により形成された被写体像を光電変換するＣＣＤセンサ、ＣＭＯＳセンサ等の撮像素子が搭載されている。
【００２６】
次に、図１〜図１０を参照して、本発明の第１の実施形態であるバリア装置について説明する。
【００２７】
本発明の第１の実施形態であるバリア装置は、図１に示すように、鏡筒枠１、バリア駆動リング２、バリア地板４、第１のバリア羽根５，６、第２のバリア羽根９，１０、およびバリアカバー１３を備える。
【００２８】
鏡筒枠１は、レンズ鏡筒１１０の前端部（被写体側の端部）に設けられ、該鏡筒枠１の内側には、図２に示すように、カム筒１４が配置されている。不図示の駆動機構によってカム筒１４が回転すると、該カム筒１４に形成された不図示のカム溝に倣って鏡筒枠１が光軸方向に移動する。鏡筒枠１の中央には、最も被写体側のレンズ１５を保持するレンズ保持部１ａが形成されている。
【００２９】
また、鏡筒枠１のレンズ保持部１ａの外周には、バリア駆動リング２を回転可能に保持するリング保持部１ｂが形成されている。鏡筒枠１のリング保持部１ｂの外側には、バリア駆動リング２のフォロワアーム２ｂが貫通する円弧孔１ｉが形成されている。
【００３０】
さらに、鏡筒枠１のリング保持部１ｂの外周部には、第１のバリア羽根５，６および第２のバリア羽根９，１０を保持するための穴部１ｃ，１ｄおよび穴部１ｅ，１ｆと、第１の引張ばね３Ａ，３Ｂの一端を引っ掛けるためのフック１ｇ，１ｈとが設けられている。第１のバリア羽根５，６は光入射開口のうち光軸を含む大領域を塞いだり、開放したりする。また、第２のバリア羽根９，１０は光入射開口のうちの大領域の外側の小領域を塞いだり、開放したりする。
【００３１】
ここで、バリアカバー１３の開口１３ａを通り、さらに内部のレンズや絞りを通って撮像素子に到達する光束を有効光束１６（図２および図３参照）という。なお、撮像素子が長方形であるため、そこに到達する有効光束１６も概ね長方形の断面形状を有する。また、バリア開口１３ａから最も被写体側のレンズ面までの有効光束１６が通る空間領域を光入射開口とする。さらに、レンズ鏡筒１１０において、被写体側に対して、撮像素子が配置されている側を像側という。
【００３２】
バリア駆動リング２は、中央に開口部２ａが形成され、レンズ保持部１ａの外周に形成されたリング保持部１ｂに回転可能に保持されている。バリア駆動リング２は、レンズの光軸周りで正逆方向に回転駆動されることによって、第１のバリア羽根５，６を開閉駆動する。
【００３３】
また、バリア駆動リング２には、像側に延出するフォロワアーム２ｂが形成されており、該フォロワアーム２ｂは、鏡筒枠１の円弧孔１ｉを貫通してカム筒１４まで延びている。図２の状態では、フォロワアーム２ｂは、カム筒１４に形成されたフォロワ溝１４ａに当接している。この状態からカム筒１４が回転し、フォロア溝１４ａに倣うことで、バリア駆動リング２が正逆方向に回転駆動される。
【００３４】
バリア駆動リング２の外周部には、第１の引張ばね３Ａ，３Ｂの他端が引っ掛けられるフック２ｃ，２ｄが形成されている。この第１の引張ばね３Ａ，３Ｂにより、バリア駆動リング２は、図４の時計回り方向（図２で矢印Ａ方向）に常に付勢されている。
【００３５】
バリア駆動リング２の最外周部には、凹形状の羽根駆動部２ｅ，２ｆが設けられており、羽根駆動部２ｅ，２ｆは、第１のバリア羽根５，６に設けられた突起部５ｂ，６ｂに当接可能とされている。バリア駆動リング２の回転により、羽根駆動部２ｅ，２ｆが突起部５ｂ，６ｂを回転方向に押すことで、第２のバリア羽根５，６を開閉駆動する。
【００３６】
さらに、バリア駆動リング（駆動部材）２には、押圧部２ｉ，２ｊが設けられている。押圧部２ｉ，２ｊは、詳細は後述するが、第１のバリア羽根５，６の閉動作が正常に行われない場合に、バリア駆動リング２の回転途中で第１のバリア羽根５，６に設けられた凸部（規制部、係合部）５ｃ，６ｃを第１のバリア羽根５，６の閉じ方向に押圧する。
【００３７】
バリア地板４は、鏡筒枠１に固定され、中央に光入射開口とほぼ同じか、それより大きな開口部４ａを持つ。開口部４ａの周囲には、第１のバリア羽根５，６および第２のバリア羽根９，１０の像側を摺動可能に保持するバリア支持部４ｂが設けられている。
【００３８】
このバリア支持部４ｂは、第１のバリア羽根５，６および第２のバリア羽根９，１０の像側への移動を阻止する役割も有する。この移動を確実に阻止するには、バリア支持部４ｂと第１のバリア羽根５，６との重なり量が多い方が有利であるので、バリア支持部４ａはできるだけ開口部４ａの内側に設けることが望ましい。つまり、バリア支持部４ｂは光入射開口にできるだけ接近させて内側に設けることが好ましい。また、バリア地板４には、第１のバリア羽根５，６の突起部５ｂ，６ｂが当接しないように貫通する切り欠き部４ｅ，４ｆが設けられている。
【００３９】
さらに、バリア地板４には、当接部４ｇ，４ｈが設けられている。当接部４ｇ，４ｈは、詳細は後述するが、第１のバリア羽根５，６に設けられた凸部５ｃ，６ｃに当接して第１のバリア羽根５，６の必要以上の閉じ方向の移動を規制する。
【００４０】
第１のバリア羽根５は、像側に延びる軸５ａを有し、この軸５ａが鏡筒枠１の形成された穴１ｃに挿入されることで、軸５ａを中心とした回動が可能となる。また、第１のバリア羽根５は、像側に延びる突起部５ｂを有し、この突起部５ｂには第２の引張ばね７の一端が掛けられている。第２の引張ばね７の他端は、バリア駆動リング２に設けられた突起部２ｇに掛けられている。このため、第２の引張ばね（付勢部材）７は、第１のバリア羽根５を軸５ａ回りに時計回り方向（閉じ方向）に常に付勢する。
【００４１】
さらに、第１のバリア羽根５の突起部５ｂは、バリア地板４の切り欠き部４ｃを貫通して、バリア駆動リング２に設けられた羽根駆動部２ｅに当接可能とされている。図４に示す第１のバリア羽根５の閉状態で、バリア駆動リング２が時計回り方向に回転することで、羽根駆動部２ｅが突起部５ｂを押し、これにより、第１のバリア羽根５は軸５ａを中心に反時計回り方向（開方向）に回動し、図５に示す開位置まで移動する。
【００４２】
また、図５に示す第１のバリア羽根５の開状態で、バリア駆動リング２が反時計回り方向に回動すると、第２の引張ばね７の付勢力によって、突起部５ｂが羽根駆動部２ｅに追従して移動する。これにより、第１のバリア羽根５は軸５ａを中心にして時計回り方向に回動し、図４の閉位置まで移動する。
【００４３】
第１のバリア羽根６は、第１のバリア羽根５と同一形状を有する。第１のバリア羽根６は、像側に延びる軸６ａが鏡筒枠１に形成された穴１ｄに挿入されることで、この軸６ａを中心に開閉方向に回動可能とされている。また、第１のバリア羽根６は、像側に延びる突起部６ｂを有し、突起部６ｂには、第２の引張ばね８の一端が掛けられている。第２の引張ばね８の他端は、バリア駆動リング２に設けられた突起部２ｈに掛けられている。このため、該第２の引張ばね（付勢部材）８は、第１のバリア羽根６を軸６ａ回りに時計回り方向（閉じ方向）に常に付勢する。
【００４４】
また、第１のバリア羽根６の突起部６ｂは、バリア地板４に設けられたきり欠き部４ｆを貫通して、バリア駆動リング２に設けられた羽根駆動部２ｆに当接可能とされている。図４に示す第１のバリア羽根６の閉状態で、バリア駆動リング２が時計回り方向の回転することで、羽根駆動部２ｆが突起部６ｂを押し、これにより、第１のバリア羽根６が軸６ａを中心に反時計回り方向（開方向）に回動し、図５に示す開位置まで移動する。
【００４５】
また、図５に示す第１のバリア羽根６の開状態で、バリア駆動リング２が反時計回り方向に回転すると、第２の引張ばね８の付勢力によって突起部６ｂが羽根駆動部２ｆに追従して移動する。これにより、第１のバリア羽根６は軸６ａを中心にして時計回り方向に回動し、図４の閉位置まで移動する。
【００４６】
第１のバリア羽根５，６が図４の閉位置まで回動すると、第１のバリア羽根５，６は互いに当接し、この状態では、第１のバリア羽根５，６の閉方向の移動は停止する。なお、この閉状態から、さらにバリア駆動リング２が反時計回り方向（第１のバリア羽根５，６の閉じ方向）に回転したとしても、第２の引張ばね７，８がチャージされることで、第１のバリア羽根５，６は図４に示す閉位置を維持できる。
【００４７】
第２のバリア羽根９，１０は、図４に示すように、第１のバリア羽根５，６よりも外周側の領域で開閉駆動される。
【００４８】
第２のバリア羽根９は、像側に延びる軸９ａを有し、該軸９ａが鏡筒枠１に形成された穴１ｅに挿入されることで、この軸９ａを中心に回動可能である。また、第２のバリア羽根９は、像側に延びる突起部９ｂを有し、突起部９ｂには、トーションばね１１の一端が掛けられている。トーションばね１１の他端は、バリア地板４に設けられた突起部４ｄに掛けられており、これにより、第２のバリア羽根９は軸９ａを中心して反時計回り方向（閉方向）に常に付勢される。これにより、第２のバリア羽根９の内接面は、第１のバリア羽根５の外周面に常に当接し、第１のバリア羽根５が回動すると該第１のバリア羽根５の外周部に押されるようにして回動する。
【００４９】
第２のバリア羽根１０は、像側に延びる軸１０ａを有し、該軸１０ａが鏡筒枠１に形成された穴１ｆに挿入されることで、この軸１０ａを中心に回動可能である。また、第２のバリア羽根１０は、像側に延びる突起部１０ｂ有し、突起部１０ｂには、トーションばね１２の一端が掛けられている。トーションばね１２の他端は、バリア地板４に設けられた突起部２ｊに掛けられており、これにより、第２のバリア羽根１０は軸１０ａを中心して反時計回り方向（閉方向）に常に付勢される。これにより、第２のバリア羽根１０の内接面は、第１のバリア羽根６の外周面に常に当接し、第１のバリア羽根６が回動すると第１のバリア羽根６の外周面６ｃに押し出されるようにして回動する。
【００５０】
なお、図４の閉位置から図５の開位置への第１のバリア羽根５，６および第２のバリア羽根９，１０の開閉途中の状態を図６に示す。第１のバリア羽根５，６および第２のバリア羽根９，１０によって、バリア開口１３ａを塞ぐ閉状態と、該バリア開口１３ａよりも外側に退避してバリア開口１３ａを開放する開状態とが作り出される。
【００５１】
バリアカバー１３は、その中央には概ね長方形のバリア開口１３ａが形成されている。バリアカバー１３は、レンズ鏡筒１１０の最前端に配置され、第１のバリア羽根５，６および第２のバリア羽根９，１０の摺動ガイドの役割と、被写体側（図２で上側）への移動を阻止する役割とを有する。また、バリアカバー１３のバリア開口１３ａは、バリア地板４の開口４ａと同様に、第１のバリア羽根５，６との重なり量を増やすため、できるだけ小さく形成することが好ましく、従って有効光束とほぼ同形状にするのがよい。
【００５２】
次に、バリア装置の基本的動作をカメラの動作と共に説明する。
【００５３】
図４に示すように全てのバリア羽根５，６，９，１０が閉じた状態では、レンズ鏡筒１１０はカメラ本体１０１（図１４参照）内に沈胴（収納）している。この状態でカメラ本体１０１のメインスイッチ１０２をＯＮすると、不図示の駆動機構によってレンズ鏡筒１１０が突出動作し、バリア羽根５，６，９，１０を保持した鏡筒枠１が、カム筒１４の回転によってレンズ鏡筒１１０の最も被写体側に繰り出される。
【００５４】
このとき、カム筒１４は、図２中の矢印Ａ方向（図４〜図６の時計回り方向：以下、時計回り方向という）に回転しながら相対的に鏡筒枠１から像側に離れていく。バリア駆動リング２は、第１の引張ばね３Ａ，３Ｂによって時計回り方向に付勢されているので、フォロワアーム２ｂがカム筒１４のフォロワ溝１４ａの回転に追従し、さらにフォロワ溝１４ａがフォロワアーム２ｂから離れると、時計回り方向に回動する。
【００５５】
バリア駆動リング２の時計回り方向の回転によって、羽根駆動部２ｅ，２ｆが突起部５ｂ，６ｂを押すことで、第１のバリア羽根５，６は開方向に回動し、図５に示す開位置まで移動する。また、第１のバリア羽根５，６の開動作に伴って第２のバリア羽根９，１０も図５の開位置まで移動する。
【００５６】
この開状態では、第１のバリア羽根５，６および第２のバリア羽根９，１０は、光軸方向から見て、バリア開口部１３ａから退避する位置、すなわち光入射開口外に配置される。図５の開状態でも、バリア駆動リング２は、第１の引張ばね３Ａ，３Ｂによって時計回り方向（開き方向）に付勢された状態になっているので、この開状態が保持される。
【００５７】
一方、図５の開状態からバリア羽根５，６，９，１０を閉じる場合には、カメラ本体１０１のメインスイッチ１０２をオフにする。これにより、不図示の駆動機構によってレンズ鏡筒１１０がカメラ本体１０１内に沈胴していく。
【００５８】
このとき、鏡筒枠１は、図２の矢印Ｂ方向（図４〜図６の反時計回り方向：以下、反時計回り方向という）に回転するカム筒１４に対して接近していく。この接近途中で、バリア駆動リング２のフォロワアーム２ｂがカム筒１４のフォロワ溝１４ａに係合しはじめる。さらに、カム筒１４が反時計回り方向に回転すると、フォロワ溝１４ａはバリア駆動リング２を第１の引張ばね３Ａ，３Ｂの付勢力に抗して反時計回り方向に回転させる。
【００５９】
バリア駆動リング２が反時計回り方向に回転すると、第２の引張ばね７，８の付勢力によって突起部５ｂ，６ｂが羽根駆動部２ｅ，２ｆに追従して移動する。これにより、第１のバリア羽根５，６および第２のバリア羽根９，１０は図４の閉位置まで回動する。
【００６０】
バリア羽根５，６，９，１０が図４の閉位置に達した後も、カム筒１４の回転によってバリア駆動リング２は反時計回り方向に回転するが、該回転時には第２の引張ばね７，８がチャージされるのみでバリア羽根５，６，９，１０は閉方向に回動しない。このようにして、沈胴状態でのバリア羽根５，６，９，１０の閉じ状態が維持される。
【００６１】
次に、図７および図８を参照して、第１のバリア羽根５，６に設けられた凸部５ｃ，６ｃにバリア地板３に設けられた当接部４ｇ，４ｈが当接する動作について説明する。
【００６２】
前述したように、第１のバリア羽根５，６の閉状態では、バリア駆動リング２は、回転位相が多少ずれたとしても確実に閉状態を保てるように、第１のバリア羽根５，６が互いに当接した状態から、さらに閉方向に回転したところで停止する。つまり、第１のバリア羽根５，６の閉状態では、図８に示すように、第１のバリア羽根５，６は、突起部５ｂ，６ｂがバリア駆動リング２の羽根駆動部２ｅ，２ｆに当接せず、第２の引張ばね７，８がチャージされて閉じ方向に付勢されている。
【００６３】
本実施の形態では、図７に示すように、上側の第１のバリア羽根６が開き側に押されて、下側の第１のバリア羽根５が閉位置からさらに閉じ方向に移動しようとすると、第１のバリア羽根５に設けた凸５ｃにバリア地板４の当接部４ｇが当接する。これにより、第１のバリア羽根５の閉じ方向の移動が規制される。
【００６４】
これにより、第１のバリア羽根５とバリアカバー１３およびバリア地板４との重なり量（図７の斜線部）を従来（図１８の斜線部）に比べて多くすることができる。この結果、レンズ鏡筒１１０を小型にしても、第１のバリア羽根５の光軸方向の移動を阻止することができ、第１のバリア羽根５が光入射開口から被写体側へ飛び出したり、レンズ鏡筒１１０内へ落ち込んだりするのを防止することができる。
【００６５】
また、本実施の形態では、当接部４ｇ，４ｈが光軸から見た第１のバリア羽根５，６の移動軌跡内に配置され、凸部５ｃ，６ｃが光軸方向に延出するように設けられる。
【００６６】
凸部５ｃ，６ｃに当接する当接部４ｇ，４ｈは、必然的に光入射開口を避けた位置にしか設けられないため、第１のバリア羽根５，６の移動軌跡外だと、第１のバリア羽根５，６の回転軸から最も離れた先端部、もしくは根元部分に設けることとなる。
【００６７】
しかし、第１のバリア羽根５（６）の先端近くに当接部４ｇ（４ｈ）を設ける場合、当接部４ｇ（４ｈ）が第２のバリア羽根９，１０の移動軌跡内や一方の第１のバリア羽根６（５）の移動軌跡内に進入して干渉する虞れがあるため、スペースの確保が難しい。
【００６８】
一方、第１のバリア羽根５，６の根元部分に当接部４ｇ，４ｈを設ける場合、当接部４ｇ，４ｈが第１のバリア羽根５，６の回転中心の近傍に配置されることになる。このため、当接部４ｇ，４ｈの位置精度が悪いと、当接部４ｇ，４ｈがストッパーとして機能せず、第１のバリア羽根５，６が回転しすぎる、あるいは第１のバリア羽根５，６が閉まりきる前に凸部５ｃ，６ｃに当接部４ｇ，４ｈが当接する等の不具合が生じる。
【００６９】
これに対し、本実施形態では、上述したように、当接部４ｇ，４ｈを第１のバリア羽根５，６の移動軌跡内に設けているので、第１のバリア羽根５，６の移動スペースを考慮することがなく、設計自由度が増し、当接部４ｇ，４ｈがストッパーとして確実に機能する。
【００７０】
また、凸部５ｃ，６ｃを光軸方向に延出して設けているので、第１のバリア羽根５，６の光軸と直交する平面部に凸部を設ける場合に比べて、第１のバリア羽根５，６を小さくすることができ、レンズ鏡筒径を小径化することができる。
【００７１】
次に、図９および図１０を参照して、第１のバリア羽根５，６に設けられた凸部５ｃ，６ｃにバリア駆動リング２に設けられた押圧部２ｉ，２ｊが係合して、第１のバリア羽根５，６を閉じ方向に押圧する動作について説明する。
【００７２】
バリア装置はレンズ鏡筒１１０の前端部に位置するため、外部から塵埃や砂などの異物が入り込みやすい。異物がバリア装置のバリア羽根に付着するとバリア装置の機能に影響を及ぼす。
【００７３】
即ち、図５に示す第１のバリア羽根５，６が開いた状態で異物が入り込むと、第１のバリア羽根５，６を閉じようとしても異物が挟まって閉じることができない状態となる。この状態では、バリア駆動リング２が回転しても、第２の引張ばね７，８がチャージされるのでバリア装置が壊れることはないが、カメラ本体１０１のスイッチをＯＮ−ＯＦＦにしても、バリア装置として機能する可能性は低い。
【００７４】
ここで、第１のバリア羽根５の開き位置で、バリア駆動リング２が反時計回り方向に回転しても、第１のバリア羽根５が閉じ方向に回転せずに図９に示す状態になるとする（第１のバリア羽根５が何らかの影響により正常に閉じ動作を行わなかった場合）。この状態からさらにバリア駆動リング２が反時計回り方向に回転しようとすると、バリア駆動リング２に設けられた押圧部２ｉが第１のバリア羽根５の凸部５ｃに当接し始める。
【００７５】
バリア駆動リング２さらに回転することによって、図１０に示すように、凸部５ｃが押圧部５ｃの傾斜面に倣い、第１のバリア羽根５が半強制的にバリア閉じ方向に回動させられる。
【００７６】
異物などが挟まることで第１のバリア羽根５が第２の引張ばね７の付勢力だけでは動けなくなっても、このように一度第１のバリア羽根５が動くようになると、第１のバリア羽根５を動かなくさせていた異物ははじかれて第１のバリア羽根５の移動が確保される。
【００７７】
なお、バリア閉状態においては、第１のバリア羽根５，６を第２の引張ばね７，８のチャージ力によって閉方向に付勢している。従って、バリア閉状態（カメラのメインスイッチＯＦＦ状態）において、カメラのユーザが故意にバリア羽根５，６を開ける操作をしても、第２の引張ばね７，８のチャージ力によってバリア羽根５，６を再び閉じることができる。
【００７８】
次に、図１１〜図１３を参照して、本発明の第２の実施形態であるバリア装置について説明する。図１１は本発明の第２の実施形態であるバリア装置を説明するための分解斜視図である。図１２は図１１に示すバリア装置のバリア羽根全閉時のバリア駆動リングの状態の示す図、図１３は図１１に示すバリア装置のバリア羽根全開時のバリア駆動リングの状態の示す図である。なお、上記第１の実施形態と重複する部分については、図に同一符号を付してその説明を省略する。
【００７９】
本発明の第２の実施形態であるバリア装置は、図１１に示すように、鏡筒枠１のレンズ保持部１ａの外周部に形成されたリング保持部１ｂにバリア駆動リング２０が回転可能に保持されている。
【００８０】
バリア駆動リング（駆動部材）２０は、中央に光入射開口とほぼ同じか、それより大きな開口部２０ａが形成され、上記第１の実施形態のバリア駆動リング２と同様に、レンズ光軸周りで正逆方向に回転駆動されることで、第１のバリア羽根５，６を開閉駆動する。
【００８１】
バリア駆動リング２０の開口部２０ａの周囲には、第１のバリア羽根５，６および第２のバリア羽根９，１０の像側を摺動可能に保持するバリア支持部２０ｋが設けられている。このバリア支持部２０ｋは、上記第１の実施形態のバリア地板４のバリア支持部４ｂと同じ機能を有する。また、バリア支持部２０ｋは、第１のバリア羽根５，６および第２のバリア羽根９，１０の像側への移動を阻止する機能も有する。
【００８２】
この移動を確実に阻止するには、バリア支持部２０ｋと第１のバリア羽根５，６との重なり量が多い方が有利であるので、上記第１の実施形態と同様に、バリア支持部２０ｋはできるだけ開口部２０ａの内側に設けることが望ましい。
【００８３】
ところで、バリア駆動リング２０はレンズ光軸を中心にして正逆方向に回転するが、回転中のどの位置においても光入射開口に重なることがないよう、開口部２０ａを決定しようとすると開口部２０ａが大きくなってしまう。このことは、バリア支持部２０ｋをできるだけ内側に位置させることの妨げになる。
【００８４】
そこで、本実施形態では、バリア閉状態（図１２）においては、開口部２０ｂが光入射開口内に進入しているが、ここからバリア駆動リング２０が時計回り方向に回転し、バリア開状態（図１３）になると、開口部２０ａが光入射開口内に進入しないように開口部２０ａを設定している。
【００８５】
カメラが撮影可能状態、つまりバリアが開状態において、光入射開口内に部品が進入すると撮影に写り込み、好ましくないが、非撮影状態、つまりバリア閉状態においては、光入射開口内に部品が進入しても問題はない。このように、バリア駆動リング２０の開口部２０ａの形状を設定することによって、バリア支持部２０ｋをできるだけ内側へ設けることが可能となる。
【００８６】
なお、仮に、非撮影状態においても、開口部２０ａが光入射開口内に進入しないように設計したとすると、その分開口部２０ａを大きくしなければならず、バリア支持部２０ｋもそれだけ外側に位置することになる。このことは、第１のバリア羽根５，６との重なり量を減らすことになる。
【００８７】
また、バリア駆動リング２０には、当接部２０ｌ，２０ｍが設けられている。当接部２０ｌ，２０ｍは、上記第１の実施形態でバリア地板４に設けられた当接部４ｇ，４ｈに相当する。バリアが閉状態（バリア駆動リング２０が図１２の状態）において、図７を参照して、一方のバリア羽根６が故意に開き方向に移動してしまった際に、他方のバリア羽根５の凸部５ｃに当接部２０ｌが当接する。これにより、他方のバリア羽根５が閉位置からさらに閉じ方向に移動するのが規制され、上記第１の実施形態と同様の作用効果を得ることができる。
【００８８】
以上説明したように、この実施形態では、バリア駆動リング２０が、上記第１の実施形態のバリア駆動リング２とバリア地板４との両方の機能を持つ。このため、部品点数を削減でき、また、光軸方向の厚さを薄くできるので、レンズ鏡筒ひいてはカメラの小型化に有効である。その他の構成および作用効果は、上記第１の実施形態と同様である。
【００８９】
なお、本発明は上記実施形態に例示したものに限定されるものではなく、本発明の要旨を逸脱しない範囲において適宜変更可能である。
【００９０】
例えば、上記実施形態では、コンパクトデジタルスチルカメラに本発明を適用したが、これに限定されず、一眼レフカメラやビデオカメラなど、種々の撮像装置に本発明を適用することができる。
【図面の簡単な説明】
【００９１】
【図１】本発明の第１の実施形態であるバリア装置を説明するための分解斜視図である。
【図２】図１に示すバリア装置の光軸方向に沿う断面図である。
【図３】図２のＡ−Ａ線断面図である。
【図４】図１に示すバリア装置のバリア羽根が全閉した状態を示す図である。
【図５】図１に示すバリア装置のバリア羽根が全開した状態を示す図である。
【図６】図１に示すバリア装置のバリア羽根が開閉途中にある状態を示す図である。
【図７】図４の状態のバリア装置において、上側のバリア羽根を外力によって開方向に動かした状態を示す図である。
【図８】図４のＢ部拡大図である。
【図９】図１に示すバリア装置のバリア羽根が全開した状態におけるバリア羽根とバリア駆動リングとの関係を説明するための図である。
【図１０】図９のＣ部拡大図である。
【図１１】本発明の第２の実施形態であるバリア装置を説明するための分解斜視図である。
【図１２】図１１に示すバリア装置のバリア羽根全閉時のバリア駆動リングの状態の示す図である。
【図１３】図１１に示すバリア装置のバリア羽根全開時のバリア駆動リングの状態の示す図である。
【図１４】コンパクトデジタルスチルカメラの一例を示す外観斜視図である。
【図１５】従来のバリア装置を説明するための図であり、バリア羽根の閉状態を示す図である。
【図１６】図１５に示すバリア装置のバリア羽根が開いた状態を示す図である。
【図１７】従来の他のバリア装置を説明するための図であり、バリア羽根の閉状態を示す図である。
【図１８】図１７の状態のバリア装置において、上側のバリア羽根を外力によって開方向に動かした状態を示す図である。
【符号の説明】
【００９２】
２          バリア駆動リング（駆動部材）
２ｉ，２ｊ  押圧部
４          バリア地板
４ｇ，４ｈ  当接部
５，６      第１のバリア羽根
５ｃ，６ｃ  凸部（規制部、係合部）
７，８      第２の引張ばね（付勢部材）
９，１０    第２のバリア羽根
１１０      レンズ鏡筒（撮影レンズ）
【図１】
2008070630.tif 000003
【図２】
2008070630.tif 000004
【図３】
2008070630.tif 000005
【図４】
2008070630.tif 000006
【図５】
2008070630.tif 000007
【図６】
2008070630.tif 000008
【図７】
2008070630.tif 000009
【図８】
2008070630.tif 000010
【図９】
2008070630.tif 000011
【図１０】
2008070630.tif 000012
【図１１】
2008070630.tif 000013
【図１２】
2008070630.tif 000014
【図１３】
2008070630.tif 000015
【図１４】
2008070630.tif 000016
【図１５】
2008070630.tif 000017
【図１６】
2008070630.tif 000018
【図１７】
2008070630.tif 000019
【図１８】
2008070630.tif 000020